(57)【要約】【課題】商品を展示するための張り出し部を簡単に形成することができるとともに、商品を安定して展示することができる包装箱を提供する。【解決手段】包装箱１であって、底板１０と、前端壁２０および後端壁７０と、左側壁４０および右側壁５０と、後端壁７０の上縁部に連設された頂板６０と、を備えている。頂板６０は、後端壁７０に連設された基端板６３と、基端板６３の前縁部に第一中折れ線Ｌ３１を介して連設された後板６４と、後板６４の前縁部に第二中折れ線Ｌ３０を介して連設された前板６５と、を備えている。後板６４に展示用開口部６６が形成されるとともに、前板６５には展示用開口部６６を塞いでいる蓋板６７が連設されている。そして、頂板６０を開いたときに、後板６４は、基端板６３の前縁部に立ち上げられるとともに、前板６５は、後板６４の後方に折り返される。【選択図】図４
0003201987.tif 000002
【実用新案登録請求の範囲】
【請求項１】
底板と、
前記底板の前後の縁部に立ち上げられた前端壁および後端壁と、
前記底板の左右の縁部に立ち上げられた左側壁および右側壁と、
前記後端壁の上縁部に連設された頂板と、を備え、
前記頂板は、前記後端壁の上縁部に連設された基端板と、前記基端板の前縁部に第一中折れ線を介して連設された後板と、前記後板の前縁部に第二中折れ線を介して連設された前板と、を備え、
前記後板に展示用開口部が形成されるとともに、前記前板には前記展示用開口部を塞いでいる蓋板が連設されており、
前記頂板を開いたときに、前記後板は、前記第一中折れ線において、前記基端板の前縁部に立ち上げられるとともに、前記前板は、前記第二中折れ線において、前記後板の後方に折り返されることを特徴とする包装箱。
【請求項２】
前記頂板には、左右一対のミシン目が形成されており、
前記両ミシン目の間に前記前板、前記後板および前記基端板が形成されていることを特徴とする請求項１に記載の包装箱。
【請求項３】
前記蓋板は、ミシン目を介して前記前板に連設されていることを特徴とする請求項１または請求項２に記載の包装箱。
【請求項４】
前記後端壁または前記基端板には、スリットが形成されており、
前記前板には、前記頂板を開いたときに、前記スリットに差し込まれる差込片が連設されていることを特徴とする請求項１から請求項３のいずれか一項に記載の包装箱。
【請求項５】
前記前板には、係合穴が形成されており、
前記基端板には、前記頂板を開いたときに、前記係合穴に差し込まれる係合片が形成されていることを特徴とする請求項１から請求項４のいずれか一項に記載の包装箱。
【考案の詳細な説明】
【技術分野】
【０００１】
本考案は、包装箱に関する。
【背景技術】
【０００２】
包装箱として、頂板を開いたときに、商品を展示するための張り出し部を包装箱の上部に形成し、張り出し部に商品を置くように構成されているものがある。このような包装箱として、頂板を後端壁の上縁部に立ち上げるとともに、頂板の前部を後部に対して前方に折り返すことで張り出し部を形成し、張り出し部の前面に開口部を開口させているものがある（例えば、特許文献１参照）。
【先行技術文献】
【特許文献】
【０００３】
【特許文献１】実開平４−１００４２０号公報
【考案の概要】
【考案が解決しようとする課題】
【０００４】
前記した従来の包装箱では、張り出し部の開口部を塞いでいる壁部を押し込んで開口部を開口させ、その壁部の上面に商品を載せている。この構成では、壁部の先端部が支持されないため、壁部に商品を載せたときに、商品が安定しないという問題がある。
【０００５】
本考案は、前記した問題を解決し、商品を展示するための張り出し部を簡単に形成することができるとともに、商品を安定して展示することができる包装箱を提供することを課題とする。
【課題を解決するための手段】
【０００６】
前記課題を解決するため、本考案は、包装箱であって、底板と、前記底板の前後の縁部に立ち上げられた前端壁および後端壁と、前記底板の左右の縁部に立ち上げられた左側壁および右側壁と、前記後端壁の上縁部に連設された頂板と、を備えている。前記頂板は、前記後端壁の上縁部に連設された基端板と、前記基端板の前縁部に第一中折れ線を介して連設された後板と、前記後板の前縁部に第二中折れ線を介して連設された前板と、を備えている。前記後板に展示用開口部が形成されるとともに、前記前板には前記展示用開口部を塞いでいる蓋板が連設されている。そして、前記頂板を開いたときに、前記後板は、前記第一中折れ線において、前記基端板の前縁部に立ち上げられるとともに、前記前板は、前記第二中折れ線において、前記後板の後方に折り返される。
【０００７】
また、前記頂板に左右一対のミシン目を形成し、前記両ミシン目の間に前記前板、前記後板および前記基端板を形成してもよい。
なお、ミシン目は、切れ込みを断続的に形成した切断線であり、切れ込みの形状は限定されるものではなく、直線状の切れ込みによるミシン目の他に、屈曲した切れ込みによるジッパーも含んでいる。
【０００８】
本考案の包装箱では、前板を後板の後方に折り返すと、前板とともに蓋板も折り返されて、展示用開口部が開口する。また、展示用開口部内には、後端壁および左右の側壁に支持された基端板が配置される。そして、展示用開口部内の基端板の上面に商品を置くことで、張り出し部に商品を安定して展示することができる。
【０００９】
また、本考案の包装箱では、後板の後方に前板を折り返したときに、前板とともに蓋板も折り返されるため、前板と後板との折り返し部よりも上方に蓋板が突出する。このように、張り出し部の頂部に蓋板が突出するため、蓋板の前面に広告を表示することで、商品を効果的にアピールすることができる。
【００１０】
なお、前記蓋板がミシン目を介して前記前板に連設されている場合には、必要に応じて蓋板を張り出し部の頂部に突出させたり、ミシン目を切り開いて張り出し部から蓋板を取り除いたりすることができる。
【００１１】
本考案の包装箱では、後端壁の上縁部から基端板を切り取ることで、張り出し部を取り除くことができる。このように、外周壁を残して張り出し部を取り除くことができるため、張り出し部を取り除いた包装箱をトレイとして利用することができる。
【００１２】
前記した包装箱において、前記後端壁または前記基端板にスリットを形成するとともに、前記前板には、前記頂板を開いたときに、前記スリットに差し込まれる差込片を連設することができる。このように、張り出し部の下部を後端壁または基端板に固定することで、張り出し部を安定させることができる。
【００１３】
前記した包装箱において、前記前板に係合穴を形成し、前記基端板には、前記頂板を開いたときに前記係合穴に差し込まれる係合片を形成し、前板を基端板に固定することができる。
【考案の効果】
【００１４】
本考案の包装箱によれば、後板の後方に前板を折り返すことで、張り出し部を簡単に形成することができる。そして、張り出し部の展示用開口部内の基端板に商品を置くことで、張り出し部に商品を安定して展示することができる。
また、本考案の包装箱によれば、張り出し部の頂部に蓋板が突出するため、蓋板の前面に広告を表示することで、商品を効果的にアピールすることができる。
また、本考案の包装箱では、外周壁を残して張り出し部を取り除くことができるため、張り出し部を取り除いた包装箱をトレイとして利用することができる。
【図面の簡単な説明】
【００１５】
【図１】本考案の実施形態に係る包装箱を左上前方から見た斜視図である。
【図２】本考案の実施形態に係る包装箱のブランクシートを示した図である。
【図３】本考案の実施形態に係る包装箱において、頂板を開いた状態を左上前方から見た斜視図である。
【図４】本考案の実施形態に係る包装箱において、張り出し部を形成した状態を左上前方から見た斜視図である。
【図５】本考案の実施形態に係る包装箱において、張り出し部を形成した状態を左上後方から見た斜視図である。
【図６】本考案の実施形態に係る包装箱を示した図４のＡ−Ａ断面図である。
【図７】本考案の実施形態に係る包装箱において、張り出し部を取り除いた状態を左上前方から見た斜視図である。
【図８】本考案の他の実施形態に係る包装箱を示した図で、蓋板を取り除くことができる構成を左上前方から見た斜視図である。
【考案を実施するための形態】
【００１６】
本考案の実施形態について、適宜図面を参照しながら詳細に説明する。
以下の説明において、前後左右方向とは、本実施形態の包装箱を説明する上で便宜上設定したものであり、包装箱の構成を限定するものではない。
【００１７】
本実施形態の包装箱１は、図１に示すように、底板１０と、底板１０の前後の縁部に立ち上げられた前後一対の端壁２０，７０と、底板１０の左右の縁部に立ち上げられた左右一対の側壁４０，５０と、前後の端壁２０，７０に連設された頂板６０と、を備えている。
本実施形態の包装箱１では、図４に示すように、頂板６０を開いたときに、商品Ｐを展示するための張り出し部１００を形成することができる。
【００１８】
包装箱１は、図２に示すように、一枚の段ボール製のシートを切り抜いたブランクシートＳを各罫線において山折りまたは谷折りすることで形成される。図２に示すブランクシートＳは外面側が見えるように配置されている。
ブランクシートＳの各罫線（折線）は、ブランクシートＳの表面を押し込んで形成された線状の溝である。
【００１９】
底板１０は、図３に示すように、長方形に形成されており（図２参照）、前後方向よりも左右方向が大きく形成されている。
底板１０の後縁部には、図１に示すように、罫線Ｌ２（図２参照）を介して、後端壁７０が連設されている。後端壁７０は、底板１０の後縁部から上方に向けて延びている。後端壁７０は、底板１０に対して垂直に形成されている。後端壁７０は、長方形に形成されており、上下方向よりも左右方向が大きく形成されている（図２参照）。
【００２０】
後端壁７０の上縁部には、罫線Ｌ３（図２参照）を介して、頂板６０が連設されている。頂板６０は、後端壁７０の上縁部から前方に向けて延びている。頂板６０は、後端壁７０に対して垂直に形成されている。頂板６０は、底板１０と同じ外形状である。
【００２１】
頂板６０の前縁部には、罫線Ｌ４（図２参照）を介して前端壁２０が連設されている。前端壁２０は、頂板６０の前縁部から下方に向けて延びている。前端壁２０は、頂板６０に対して垂直に形成されている。前端壁２０は、後端壁７０と同じ外形状である。
【００２２】
底板１０の前縁部には、図５に示すように、罫線Ｌ１を介して、内端壁３０が連設されている。内端壁３０は、底板１０の前縁部から上方に向けて延びている。内端壁３０は、底板１０に対して垂直に形成されている。内端壁３０は、前端壁２０（図１参照）と同じ外形状であり、前端壁２０の後面（内面）に重ねられている。
【００２３】
図２に示すように、前端壁２０の左右の縁部には、左右の内フラップ２１，２１が連設されている。また、内端壁３０の左右の縁部には、左右の内フラップ３１，３１が連設されている。また、後端壁７０の左右の縁部には、左右の内フラップ７１，７１が連設されている。
底板１０の左右の縁部には、左右の外フラップ１１，１１が連設されている。また、頂板６０の左右の縁部には、左右の外フラップ６１，６１が連設されている。
【００２４】
包装箱１では、底板１０の外フラップ１１の内面に、前端壁２０の内フラップ２１および内端壁３０の内フラップ３１が接合されている（図３参照）。また、底板１０の外フラップ１１の外面に後端壁７０の内フラップ７１が重ねられている（図１参照）。さらに、後端壁７０の内フラップ７１の外面および底板１０の外フラップ１１の外面に頂板６０の外フラップ６１が接合されている（図１参照）。
このように、各内フラップ２１，３１，７１および各外フラップ１１，６１を重ねて接合することで、図１に示すように、左側壁４０および右側壁５０が形成されている。
【００２５】
頂板６０には、一対のミシン目Ｌ２０，Ｌ２０（図２参照）が形成されている。ミシン目Ｌ２０の前部は、頂板６０の前縁部から側縁部に亘って斜めに延びている。また、ミシン目Ｌ２０の中間部は、頂板６０の側縁部に沿って延びている。さらに、ミシン目Ｌ２０の後部は、頂板６０の側縁部から後縁部に亘って斜めに延びている。
【００２６】
本実施形態のミシン目Ｌ２０は、図２に示すように、屈曲した切れ込みを断続的に形成したジッパーであるが、他の図面ではミシン目Ｌ２０の各切れ込みを直線状に簡略化して示している。なお、ミシン目Ｌ２０の各切れ込みを直線状に形成してもよい。ミシン目Ｌ２０の切れ込みを直線状に形成した場合には、ミシン目Ｌ２０を切り開いた後の切断部の外観を良くすることができる。
【００２７】
左右のミシン目Ｌ２０，Ｌ２０の間には、図１に示すように、開封部６２が形成されている。開封部６２は、頂板６０の四隅以外の領域であり、平面視で八角形に形成されている（図２参照）。
開封部６２の後縁部（両ミシン目Ｌ２０，Ｌ２０の間）には、ミシン目Ｌ２１（図２参照）が形成されている。
【００２８】
開封部６２の前縁部には、罫線Ｌ４を介して摘み片７２が連設されている。摘み片７２は、台形状に形成されており、基端側（罫線Ｌ４側）よりも先端側の幅が小さく形成されている。
摘み片７２は、前端壁２０の一部をカット線Ｌ２２（図２参照）によって区画することで形成されている。
また、前端壁２０には、摘み片７２の下縁部に連続して台形状の指掛け部７３が開口している。
【００２９】
開封部６２を開くときには、図３に示すように、指掛け部７３に指を挿入して摘み片７２を引き起こし、摘み片７２を指で摘んで開封部６２を引き上げる。これにより、左右のミシン目Ｌ２０，Ｌ２０が切り開かれ、開封部６２を後端壁７０に対して立ち上げることができる。このようにして、頂板６０に対して開封部６２を開封し、包装箱１に上面開口部６０ａを形成することができる。
【００３０】
開封部６２には、図１に示すように、後端壁７０の上縁部に罫線Ｌ３を介して連設された基端板６３と、基端板６３の前縁部に第一中折れ線Ｌ３１を介して連設された後板６４と、後板６４の前縁部に第二中折れ線Ｌ３０を介して連設された前板６５と、が形成されている。
【００３１】
両中折れ線Ｌ３０，Ｌ３１は、ブランクシートＳの内面を押し込んで形成された直線状の溝である。両中折れ線Ｌ３０，Ｌ３１は、開封部６２の左右の縁部に亘って形成されている。
第一中折れ線Ｌ３１は、開封部６２の後部に配置されており、罫線Ｌ３（頂板６０の後縁部）に対して平行に形成されている。
第二中折れ線Ｌ３０は、開封部６２の前後方向の中央部に配置されており、罫線Ｌ３（頂板６０の後縁部）に対して平行に形成されている。
【００３２】
両中折れ線Ｌ３０，Ｌ３１は、開封部６２を前後方向に折り曲げるための折れ線である（図４参照）。
【００３３】
後板６４の左右方向の中央部には、前後方向の延びている略長方形の展示用開口部６６が形成されている（図４参照）。展示用開口部６６の後縁部は、後方に向けて突出するように円弧状に形成されている。展示用開口部６６の最後端部は、第一中折れ線Ｌ３１に接している。
【００３４】
頂板６０を閉じた状態（図１の状態）では、展示用開口部６６は蓋板６７によって塞がれている。蓋板６７は、展示用開口部６６と同じ外形状である。
蓋板６７は、前板６５の後縁部に連続して形成されている。蓋板６７の後縁部および左右の縁部は、カット線Ｌ３２を介して後板６４に連設されている。
【００３５】
基端板６３の後端部の左右方向の中央部には、係合片６８が形成されている。係合片６８は、台形状に形成されており、後縁部よりも前縁部の幅が大きく形成されている。
係合片６８の後縁部は、罫線Ｌ３を介して後端壁７０の上縁部に連設されている。係合片６８の前縁部および左右の縁部は、カット線Ｌ５０を介して基端板６３に連設されている。
係合片６８は、後記する係合穴６９（図４参照）に差し込まれる部位である。係合片６８の左右方向の最大幅は、係合穴６９の左右方向の幅よりも大きく形成されている。
【００３６】
前板６５の前端部の左右方向の中央部には、係合穴６９が形成されている。係合穴６９は、前後方向に延びている長方形の開口部である。
係合穴６９は壁部６９ａによって塞がれている。係合穴６９内の壁部６９ａの前縁部は、罫線Ｌ７１を介して前板６５に連設されている。
係合穴６９内の壁部６９ａの後縁部および左右の縁部は、カット線Ｌ７０を介して前板６５に連設されている。
【００３７】
後端壁７０には、図５に示すように、差込溝７５が形成されている。差込溝７５は、後端壁７０の上縁部（罫線Ｌ３）の左右方向の中央部に形成されたスリットである。差込溝７５の左右両端部は、下方に向けて屈曲している。
差込溝７５は、張り出し部１００を形成したときに、開封部６２の摘み片７２が差し込まれる部位である。
【００３８】
次に、本実施形態の包装箱１に張り出し部１００（図５参照）を形成する手順について説明する。
本実施形態の包装箱１を開封するときには、図３に示すように、開封部６２を引き上げて、左右のミシン目Ｌ２０，Ｌ２０を第一中折れ線Ｌ３１まで切り開く。さらに、第一中折れ線Ｌ３１において後板６４を基端板６３に対して上向きに折り曲げ、基端板６３の前縁部に前板６５および後板６４を立ち上げる。これにより、頂板６０に対して開封部６２が開封し、包装箱１の上面に上面開口部６０ａが形成される。
【００３９】
包装箱１を開封した後に、図４に示すように、包装箱１に張り出し部１００を形成する場合には、第二中折れ線Ｌ３０において後板６４に対して前板６５を後方に折り返す（図６参照）。
後板６４に対して前板６５を後方に折り返すと、前板６５とともに蓋板６７は引き起こされるため、カット線Ｌ３２において後板６４から蓋板６７が切り離され、展示用開口部６６が開口する。また、蓋板６７は、前板６５と後板６４との折り返し部（第二中折れ線Ｌ３０）よりも上方に突出する。
また、図５に示すように、基端板６３の係合片６８を引き起こして、後端壁７０の上縁部に立ち上げる。
【００４０】
前板６５に連設された摘み片７２を後端壁７０の差込溝７５に差し込む。これにより、包装箱１の後端部の上方に張り出し部１００が形成される。
張り出し部１００は、開封部６２を側面視で三角形に折り曲げたものであり、包装箱１の上面から上方に向けて突出している。張り出し部１００の下部（摘み片７２）は、後端壁７０に固定されている。
張り出し部１００の左右方向の中央部には、図４に示すように、展示用開口部６６が開口している。展示用開口部６６内には、基端板６３によって底部が形成されている。
【００４１】
また、図５に示すように、摘み片７２を差込溝７５に差し込むと、後端壁７０に連設された係合片６８が前板６５の係合穴６９に重なる。
そして、係合片６８を後側から係合穴６９に押し込むと、図６に示すように、係合片６８が係合穴６９内の壁部６９ａを押し退けて、係合片６８が係合穴６９に差し込まれる（図４参照）。
このように、係合片６８を係合穴６９に係止させることで、張り出し部１００の下部を後端壁７０に固定することができる。
【００４２】
図４に示すように、包装箱１に収容されていた商品Ｐを張り出し部１００の展示用開口部６６内の基端板６３の上面に置くことで、包装箱１の後端部の上方に商品Ｐを展示することができる。
【００４３】
張り出し部１００が不要になった場合には、図７に示すように、両ミシン目Ｌ２０，Ｌ２０（図１参照）を頂板６０の後縁部（罫線Ｌ３）まで切り開くとともに、基端板６３と後端壁７０との間のミシン目Ｌ２１を切り開く。このようにして、後端壁７０から開封部６２を切り取ることで、包装箱１から張り出し部１００（図４参照）を取り除くことができる。
【００４４】
以上のような包装箱１では、図４に示すように、後板６４の後方に前板６５を折り返すことで、張り出し部１００を簡単に形成することができる。
また、前板６５を後板６４の後方に折り返すと、前板６５とともに蓋板６７も折り返されて、展示用開口部６６が開口する。
また、展示用開口部６６内には、後端壁７０および左右の側壁４０，５０に支持された基端板６３が配置されることになる。
そして、展示用開口部６６内の基端板６３の上面（ステージ）に商品Ｐを置くことで、張り出し部１００に商品Ｐを安定して展示することができる。
【００４５】
本実施形態の包装箱１では、張り出し部１００の頂部から上方に向けて蓋板６７が突出するため、蓋板６７の前面に広告を表示することで、商品Ｐを効果的にアピールすることができる。
【００４６】
本実施形態の包装箱１では、図１に示すように、展示用開口部６６を塞いでいる蓋板６７が前板６５に連続して形成されている。したがって、図５に示すように、展示用開口部６６を開口させたときに、蓋板６７は開封部６２から切り離されないため、ごみの発生を抑えることができる。
【００４７】
本実施形態の包装箱１では、後端壁７０の上縁部から開封部６２を切り取ることで、図７に示すように、包装箱１から張り出し部１００（図４参照）を取り除くことができる。このように、包装箱１の外周壁を残して張り出し部１００を取り除くことができるため、張り出し部１００を取り除いた包装箱１をトレイとして利用することができる。
本実施形態の包装箱１では、上面開口部の四隅に頂板６０の一部が残るため、トレイ形状の包装箱１に他の包装箱１を積み重ねたときに、上下の包装箱１，１を安定させることができる。
【００４８】
また、本実施形態の包装箱１では、図４に示すように、張り出し部１００を形成したときに、頂板６０の両ミシン目Ｌ２０，Ｌ２０を全て切り開かないため、基端板６３は左右の側壁４０，５０に連設されている。また、張り出し部１００の下部は、図５に示すように、基端板６３および後端壁７０に固定される。したがって、本実施形態の包装箱１では、張り出し部１００を安定させることができる。
【００４９】
以上、本考案の実施形態について説明したが、本考案は前記実施形態に限定されることなく、その趣旨を逸脱しない範囲で適宜に変更が可能である。
本実施形態の包装箱１では、図１に示すように、頂板６０の開封部６２に前板６５、後板６４および基端板６３が形成されているが、頂板６０全体が開くように構成し、頂板６０全体に前板６５、後板６４および基端板６３を形成してもよい。すなわち、頂板６０全体を折り曲げて張り出し部１００を形成してもよい。
【００５０】
また、図８に示すように、蓋板６７はミシン目Ｌ３７を介して前板６５に連設させてもよい。この構成では、必要に応じて蓋板６７を張り出し部１００の頂部に突出させたり、ミシン目Ｌ３７を切り開いて張り出し部１００から蓋板６７を取り除いたりすることができる。
【００５１】
本実施形態の包装箱１では、図５に示すように、後端壁７０の上縁部に差込溝７５が形成されているが、基端板６３に差込溝を形成し、張り出し部１００の下部が基端板６３に固定されるように構成してもよい。
【００５２】
本実施形態の包装箱１では、張り出し部１００に一つの展示用開口部６６が形成されているが、張り出し部１００に複数の展示用開口部６６を形成してもよい。
【００５３】
また、頂板に連結穴を形成するとともに、底板に他の包装箱の連結穴に差し込まれる連結片を形成してもよい。この構成では、複数の包装箱を積み重ねたときに、最上段の包装箱の連結片を下側の包装箱の連結穴に差し込んで係止させることで、最上段の包装箱を安定させることができる。
【００５４】
本実施形態の包装箱１は段ボール製であるが、各種公知の板紙によって包装箱を形成してもよい。
【符号の説明】
【００５５】
１      包装箱
１０    底板
２０    前端壁
３０    内端壁
４０    左側壁
５０    右側壁
６０    頂板
６０ａ  上面開口部
６２    開封部
６３    基端板
６４    後板
６５    前板
６６    展示用開口部
６７    蓋板
６８    係合片
６９    係合穴
７０    後端壁
７２    摘み片
７５    差込溝
１００  張り出し部
Ｌ２０  ミシン目
Ｌ３０  第二中折れ線
Ｌ３１  第一中折れ線
Ｐ      商品
Ｓ      ブランクシート
【図１】
0003201987.tif 000003
【図２】
0003201987.tif 000004
【図３】
0003201987.tif 000005
【図４】
0003201987.tif 000006
【図５】
0003201987.tif 000007
【図６】
0003201987.tif 000008
【図７】
0003201987.tif 000009
【図８】
0003201987.tif 000010